(57)【要約】【課題】  火事などの緊急時に建物出入口や窓などの引違い戸やドアや面格子を手動又は自動で開け、アラーム音を鳴らし、フラッシュライトを発光し、迅速安全に避難できるようにした建物の開閉機構を提供する。【解決手段】  建物の出入口や窓や開口部９などの開閉仕切具機構２９の端部可動枠７ａと開口部９の固定枠４との間に、開閉仕切具機構２９を閉じ可動の端部可動枠７ａを固定枠４に当接係止する係止機構を端部可動枠７ａと固定枠４の両枠内に有し、火事などの緊急時に両枠の係止を解除する解錠装置２８とアラーム音を発しかつフラッシュライトを点滅するアラーム・フラッシュ灯１３を有し、このアラーム・フラッシュ灯１３を平常時は非作動状態としかつ緊急時に作動状態とする切替機構及び可動の端部可動枠７ａと固定枠４との係止を自動的に外す緊急時自動の解錠装置２８を有する。【選択図】      図１
2006241863.tif 000002
【特許請求の範囲】
【請求項１】
建物の出入口や窓や開口部などの開閉仕切具機構の端部可動枠と該端部可動枠が当接する該開口部の固定枠との間に、開閉仕切具機構を閉じ端部可動枠を固定枠に当接して係止する係止機構を端部可動枠と固定枠の両枠内に有し、火事などの緊急時に端部可動枠と固定枠の係止を解除する解錠装置とアラーム音を発しかつフラッシュライトを点滅するアラーム・フラッシュ灯を有し、該アラーム・フラッシュ灯を平常時は非作動状態としかつ緊急時に作動状態とするアラーム・フラッシュ灯の切替機構及び端部可動枠と固定枠との係止を自動的に外す緊急時自動解錠装置を有することを特徴とする緊急時アラーム・フラッシュ灯及び解錠装置付きの開閉仕切具機構。
【請求項２】
火事などの緊急時に端部可動枠と固定枠の係止を解除する解錠装置はプルスイッチを有するスイッチボックスからなることを特徴とする請求項１記載の緊急時アラーム・フラッシュ灯及び解錠装置付きの開閉仕切具機構。
【請求項３】
火事などの緊急時に端部可動枠と固定枠の係止を解除する解錠装置はプルスイッチを有する熱又は煙を検知する火災感知器からなることを特徴とする請求項１記載の緊急時アラーム・フラッシュ灯及び解錠装置付きの開閉仕切具機構。
【請求項４】
開閉仕切具機構は建物の開口部に設置の面格子であることを特徴とする請求項１〜３のいずれか１項に記載の緊急時アラーム・フラッシュ灯及び解錠装置付きの引違い戸やドアあるいは面格子などからなる開閉仕切具機構。
【請求項５】
開閉仕切具機構は建物の出入口に設置の引違い戸であることを特徴とする請求項１〜３のいずれか１項に記載の緊急時アラーム・フラッシュ灯及び解錠装置付きの開閉仕切具機構。
【請求項６】
開閉仕切具機構は建物の出入口に設置のドアであることを特徴とする請求項１〜３のいずれか１項に記載の緊急時アラーム・フラッシュ灯及び解錠装置付きの開閉仕切具機構。
【請求項７】
開閉仕切具機構は建物の窓に設置の引違い戸であることを特徴とする請求項１〜３のいずれか１項に記載の緊急時アラーム・フラッシュ灯及び解錠装置付きの開閉仕切具機構。
【発明の詳細な説明】
【技術分野】
【０００１】
この発明は一戸建て住宅やマンションあるいはビルなどにおける建物の出入口や窓などの引違い戸やドアあるいは仕切用の面格子などの建屋の建具類において、常時は施錠により閉じているが火災発生などの緊急時に自動的に解錠して開放可能とし、解錠と同時にフラッシュ光やアラーム音を発して緊急時であることを周囲に報せ、さらに避難のために引違い戸や扉やドアなどあるいは面格子などが解放状態にあることを報せる装置に関する。
【背景技術】
【０００２】
住宅用の建物やビルなどにおいては、外部から不法侵入者が立ち入らないように通常は建物の出入口の扉や窓は施錠して閉じ、また窓に面格子を設けて閉じている。しかし、このような建物において火事が発生した緊急時には、出入口の扉や窓に施錠をしていると直に開けられない場合が生じ、また面格子が窓に取り付けられていると窓は開いても外に出られないこととなる。
【０００３】
このような問題を解消するために、面格子を速やかに解放可能とし、あるいは窓や扉を直ちに解錠をしうる構造としたものが開発されている。例えば、出願人は非常脱出の緊急時に迅速に脱出可能とする非常時脱出可能な面格子を開発して特許を得ている（例えば、特許文献１参照。）。
【０００４】
また、火事などの緊急時に係止機構を速やかに解除操作可能とした建物の開口部の遮蔽装置付きサッシを発明（例えば、特許文献２参照。）している。
【０００５】
【特許文献１】特許第３２４７６２４号公報
【特許文献２】特許第３２４７３１７号公報
【発明の開示】
【発明が解決しようとする課題】
【０００６】
本発明が解決しようとする課題は、火事などの緊急時に建物の出入口や窓などの引違い戸やドアや面格子を速やかに手動又は自動で開けると共に建物の内外の人々にアラーム音を鳴らし、さらに老人などの耳の遠い人にも判るようにフラッシュライトを発光し、迅速安全に避難することができるようにした建物の引違い戸やドアあるいは面格子を提供することである。
【課題を解決するための手段】
【０００７】
この手段は、一戸建て住宅やマンションあるいはビルなどにおける建物の出入口や窓などの引違い戸やドアあるいは常時は泥棒などの侵入防止に閉じている仕切用の面格子などの建屋の開閉仕切具機構において、常時は施錠により閉じているが火災発生などの緊急時には、自動的に解錠して開くことができるものとし、かつ、この解錠と同時にフラッシュ光やアラーム音を発して緊急時であることを周囲に報せることができ、さらに避難のために引違い戸や扉やドアなどあるいは面格子などを開けうることを報せることができる装置についての手段である。
【０００８】
すなわち、上記の課題を解決するための本発明の手段は、請求項１の発明では、建物の出入口や窓や開口部などの開閉仕切具機構の端部可動枠と該端部可動枠が当接する該開口部の固定枠との間に、開閉仕切具機構を閉じ端部可動枠を固定枠に当接して係止する係止機構を端部可動枠と固定枠の両者内に有し、火事などの緊急時に端部可動枠と固定枠の係止を解除する解錠装置とアラーム音を発しかつフラッシュライトを点滅するアラーム・フラッシュ灯を有し、該アラーム・フラッシュ灯を平常時は非作動状態としかつ緊急時に作動状態とするアラーム・フラッシュ灯の切替機構及び端部可動枠と固定枠との係止を自動的に外す緊急時自動解錠装置を有することを特徴とする緊急時アラーム・フラッシュ灯及び解錠装置付きの開閉仕切具機構である。
【０００９】
請求項２の発明では、火事などの緊急時に端部可動枠と固定枠の係止を解除する解錠装置はプルスイッチを有するスイッチボックスからなることを特徴とする請求項１の手段の緊急時のアラーム・フラッシュ灯及び解錠装置付きの開閉仕切具機構である。
【００１０】
請求項３の発明では、火事などの緊急時に端部可動枠と固定枠の係止を解除する解錠装置はプルスイッチを有する熱又は煙を検知する火災感知器からなることを特徴とする請求項１の手段の緊急時のアラーム・フラッシュ灯及び解錠装置付きの開閉仕切具機構である。
【００１１】
請求項４の発明では、開閉仕切具機構は建物の窓などの開口部に設置の面格子であることを特徴とする請求項１〜３のいずれか１項に記載の緊急時のアラーム・フラッシュ灯及び解錠装置付きの開閉仕切具機構である。
【００１２】
請求項５の発明では、開閉仕切具機構は建物の出入口に設置の引違い戸であることを特徴とする請求項１〜３のいずれか１項の手段の緊急時のアラーム・フラッシュ灯及び解錠装置付きの開閉仕切具機構である。
【００１３】
請求項６の発明では、開閉仕切具機構は建物の出入口に設置のドアであることを特徴とする請求項１〜３のいずれか１項の手段の緊急時のアラーム・フラッシュ灯及び解錠装置付きの開閉仕切具機構である。
【００１４】
請求項７の発明では、開閉仕切具機構は建物の窓に設置の引違い戸であることを特徴とする請求項１〜３のいずれか１項の手段の緊急時のアラーム・フラッシュ灯及び解錠装置付きの開閉仕切具機構である。
【発明の効果】
【００１５】
本発明による建物の出入口や窓などの引違い戸やドアあるいは窓などの開口部の面格子からなる開閉仕切具機構は閉じると係止機構により施錠状態となり、平常時はサイレントキーを差し込むことでアラーム音を発することなくまたフラッシュライトを発光することなく通常に係止を解錠して開閉でき、さらに平常時に閉じて施錠状態にある引違い戸やドアあるいは面格子は、建物内で火災が発生した緊急時に人為的にプルスイッチを引くことによりアラーム音を鳴らし、フラッシュライトを発光して周囲に火事の発生を報せると同時に自動的に引違い戸やドアあるいは面格子の係止を解錠することができる。さらに、火災感知器が火災を感知することによりアラーム音を鳴らし、フラッシュライトを発光して周囲に火事の発生を報せ、かつ、自動的に扉やドアあるいは面格子の係止を解錠することができ、この結果、屋内の人は引違い戸やドアあるいは面格子を容易に開けて屋外へ逃げ出すことができるなど、本発明は従来にない優れた効果を奏する。
【発明を実施するための最良の形態】
【００１６】
本発明を実施するための最良の形態について、図面を参照して説明する。先ず、開閉仕切具機構２９として面格子２３を用いて説明する。図１は火災感知器１に連動するタイプの緊急時の解錠装置２８を有する面格子２３と固定枠４の外観を示す斜視図である。図２は電子ロックタイプの緊急時の解錠装置２８を有する面格子２３と固定枠４の外観を示す斜視図である。これらの図１及び図２において、面格子２３は窓などの開口部９に防犯用に設けられ、外部から人の侵入を阻止している。この面格子２３は多数の格子７と横桟８からなり、この格子７の端部可動枠７ａが開口部９の縦方向の固定枠４に当接して窓などの開口部９に平常時は固定されている。この横桟８は縦格子の保持及びスライドガイドの作用をする。
【００１７】
図１の面格子２３を固定する固定枠４の建屋内側には、その上端の配線コネクター２２から配線３により建屋内の適所に配設された火災感知器１を接続して有する。この火災感知器１は熱又は煙を検知すると自動的に配線３を通じて火災信号を発信する。火災感知器１にはプルスイッチ２を有し、火災感知器１が検知しなくともこのプルスイッチ２を引くことにより配線３を通じて火災信号を発信することができる。この発信された信号により、固定枠４に面格子２３の端部可動枠７ａを係止している係止機構２８が解錠され、平常時は閉じられ固定されている面格子２３を、例えば伸縮式スライド開閉面格子である場合には縮めることで、開けることができる。この解錠と同時に、図３及び図４に示すアラーム・フラッシュ灯１３が作動され、外部にアラーム音を発し、フラッシュライトを発光する。なお、固定枠４のサイレントスイッチ２０をサイレントキー５で入れることにより、アラーム・フラッシュ灯１３の作動は切断して置くことができる。
【００１８】
図２に示す装置は電子ロックタイプの緊急時の解錠装置２８を有する装置で、この場合は、上記の装置における火災報知機１を有せず、代わりに単なるスイッチボックス１０を有する。すなわち、面格子２３を固定する固定枠４の建屋内側には、その上端の配線コネクター２２から配線３により建屋内の適所に配設されたスイッチボックス１０を接続して有し、このスイッチボックス１０はプルスイッチ２を具備している。このようにスイッチボックス１０は火災感知器１と連動させない装置として装備する際に使用する。他の構造は上記の図１の構造と同様である。図２の装置では、建屋内にいる人が火事の発生に気づいた場合に、このプルスイッチ２を引くことにより配線３を通じて火災信号を発信することができる。したがって、この発信された信号により、固定枠４に面格子２３の端部可動枠７ａを係止している係止機構２８が解錠され、平常時は閉じられ固定されている面格子２３を開けることができる。この解錠と同時に、図３及び図４に示すアラーム・フラッシュ灯１３が作動され、外部にアラーム音を発し、フラッシュライトを発光する。なお、固定枠４のサイレントスイッチ２０をサイレントキー５で入れることにより、アラーム・フラッシュ灯１３の作動は切断して置くことができる。
【００１９】
図３及び図４に面格子２３の格子７の端部可動枠７ａと固定枠４を図面上手前の縦壁を除去して内部機構を詳細に示す。図３は施錠時の内部機構で、図４は解錠時の内部機構である。これらにおいて、面格子２３の端部可動枠７ａ内の上下に上部近接スイッチ１４の移動側スイッチ１４ｂと下部近接スイッチ１５の移動側スイッチ１５ｂを有し、その中間部の上下にそれぞれ係止爪を先端に固定枠４側に突出して有する固定ラッチ１７、１７を有する。
【００２０】
一方、面格子２３を係止して固定する固定枠４には、上記の上下の移動側スイッチ１４ｂと移動側スイッチ１５ｂに対面する位置に、それぞれ上下の固定側スイッチ１４ａと固定側スイッチ１５ａを対向配置して有する。さらに端部可動枠７ａ内の中間部の上下の固定ラッチ１７、１７に対向する固定枠４内の位置には、それぞれ上下の可動ラッチ１６、１６を有する。この上下の可動ラッチ１６、１６は縦方向の連動板１８に接続されている。さらに上部の可動ラッチ１６はその上部に配設のソレノイド１６の作動舌片に上下可動状態で係合されている。下部の可動ラッチ１６はその下部に配設のコイル発条１９により常時下向きの引っ張り力が付与されている。なお、コイル発条１９は可動ラッチ１６をリセットする働きを有する。
【００２１】
固定枠４の上部には、アラーム音を発してフラッシュランプを点滅するアラーム・フラッシュ灯１３を、中央部の連動板１８の側部に制御装置１１とサイレントスイッチ２０を有し、下部には乾電池からなる電源２１を有し、それぞれの機器は配線により接続されている。電源２１はアラーム・フラッシュ灯１３及びソレノイド１２用の電源である。なお、図１、図２、図５から図８などでは電源２１は電池ケース蓋６で示されている。
【００２２】
以上に説明したものにおいて、請求項２の発明は、火事などの緊急時に格子７などの端部可動枠７ａ枠と固定枠４の係止を解除する解錠装置２８はプルスイッチ２を有するスイッチボックス１０からなる緊急時のアラーム・フラッシュ灯１３及び解錠装置２８付きの開閉仕切具機構２９である。
【００２３】
さらに、請求項３に係る発明では、火事などの緊急時に格子７などの端部可動枠７ａと固定枠４の係止を解除する解錠装置２８はプルスイッチ２を有する熱又は煙を検知する火災感知器１からなる緊急時のアラーム・フラッシュ灯１３及び解錠装置２８付きの開閉仕切具機構２９である。
【００２４】
さらに請求項４に係る発明では、開閉仕切具機構２９は建物の窓などの開口部９に設置の面格子２３である緊急時のアラーム・フラッシュ灯１３及び解錠装置２８付きの開閉仕切具機構２９であり、これは図１及び図２に示す。
【００２５】
さらに請求項５の発明では、開閉仕切具機構２９は建物の出入口に設置の引違い戸であり、例えば玄関用引違い戸２６あるいは図５に示すベランダなどへ通ずる掃出し用引違い戸２４で、緊急時のアラーム・フラッシュ灯１３及び解錠装置２８付きの開閉仕切具機構２９である。この引違い戸は、左右のそれぞれの戸が図の下部の矢印のように開けることができるので、開閉仕切具機構２９はそれぞれ左右の戸に設置する必要がある。このため火災感知器１あるいはプルスイッチ２からの配線３は分割されてそれぞれ左右の固定枠４に接続され、左右の固定枠４とそれと当接する左右の戸の端部可動枠７ａ内にラッチによる開閉機構２８が装備されている。なお、図８に示す玄関用引違い戸２６は図の右側の戸のみを→方向に開くので、この場合は、右側の戸のみにその固定枠４と右の戸の端部可動枠７ａ内にラッチによる開閉機構２８が装備されている。
【００２６】
さらに請求項６の発明では、開閉仕切具機構２９は建物の出入口に設置のドア、例えば図７に示す玄関用ドア２７で、緊急時のアラーム・フラッシュ灯１３及び解錠装置２８付きの開閉仕切具機構２９である。このドアの場合は、図示されていないが、出入口の固定枠５側のドアの端部可動枠７ａ内には、引違い戸の固定ラッチ１７に替えてドアの端部可動枠７ａから出入できる可動ラッチ１７ａが設けられている。したがって、この可動ラッチ１７ａは、引違い戸の場合と異なり、例えばノブ２７ａを回転することにより、ドアの端部可動枠７ａから入口の固定枠５側に出入りできる構造となっている。また、ドアを締めるために入口の固定枠５に近づける際は、ノブ２７ａを回転することで、可動ラッチ１７ａはドアの端部可動枠７ａ内に収納され、ドアを締める邪魔にならないものとなっている。ドアを締め切ると、可動ラッチ１７ａは出入口の固定枠５に挿入され、固定枠４内に設置の上下に可動の可動ラッチ１６に係合される。なお、固定枠４内の開閉機構は上記した引違い戸ものと同様である。
【００２７】
さらに請求項７の発明では、開閉仕切具機構２９は建物の窓に設置の窓用引違い戸２５であり、例えば図６に示す窓用の引違い戸であり、緊急時のアラーム・フラッシュ灯１３及び解錠装置２８付きの開閉仕切具機構２９である。この窓用の引違い戸も、左右のそれぞれの戸が図の下部の矢印のように開けることができるので、開閉仕切具機構２９はそれぞれ左右の戸に設置する必要がある。このため火災感知器１あるいはプルスイッチ２からの配線３は分割されてそれぞれ左右の固定枠４に接続され、左右の固定枠４とそれと当接する左右の戸の端部可動枠７ａ内にラッチによる開閉機構２８が装備されている。
【００２８】
次いで、本発明の緊急時のアラーム・フラッシュ灯１３及び解錠装置２８付きの開閉仕切具機構２９の作動について面格子２３の場合により説明する。図３に示すように、この開閉仕切具機構２９では、その上部に形成している固定側スイッチ１４ａと移動側スイッチ１４ｂからなる近接スイッチ１４において、開口部９に設けた面格子２３を閉じることにより移動側スイッチ１４ｂが固定側スイッチ１４ａに当接する。この当接で近接スイッチ１４が入り、固定側スイッチ１４ａから制御装置１１に信号が送られ、制御装置１１からソレノイド１２に指令が発せられる。この指令によりソレノイド１２の作動舌片が下方に移動してその先端に取り付けられた可動ラッチ１６がコイル発条１９に引っ張られて下方に押し下げられる。この押し下げにより可動ラッチ１６の先端が面格子２３の端部可動枠７ａの固定ラッチ１７から延び固定枠４内に入り込んだ爪に係合され、面格子２３の端部可動枠７ａを固定し面格子２３を移動しなくする。一方、下部の固定側スイッチ１５ａと移動側スイッチ１５ｂで近接スイッチ１５を形成しているので、上記の面格子２３を閉じて固定すると同時に、固定側スイッチ１５ａに移動側スイッチ１５ｂが当接することで近接スイッチ１５が入り、固定側スイッチ１５ａから制御装置１１に信号が送られ、制御装置１１からアラーム・フラッシュ灯１３に指令が発せられアラーム音を鳴らなくし、フラッシュランプを点滅しなくする。
【００２９】
そこで、本発明の緊急時のアラーム・フラッシュ灯１３及び解錠装置２８付きの開閉仕切具機構２９の使用方法について、先ず、図４を参照して、面格子２３を例として火災報知器１に連動するタイプについて説明する。建屋内で火事が発生すると、その熱や煙を火災感知器１が感知する。この火災感知器１の感知した信号は配線コネクター２２から制御装置１１に送信される。この送信を受けて制御装置１１からアラーム・フラッシュ灯１３に指令が出され、アラーム音を発生し、フラッシュライトを点滅する。一方、同時に制御装置１１はソレノイド１２に可動ラッチ１６を引き上げる指令の信号を発する。この結果、上部の可動ラッチ１６は回転軸１６ａを支点にして上方に引き上げられ、同時に連動板１８で係合された下部の可動ラッチ１６もコイル発条１９の引っ張り力に抗して回転軸１６ａを支点にして上方に引き上げられる。この上下の可動ラッチ１６の引き上げにより上下の固定ラッチ１７との係止が外され、可動の格子７の端部可動枠７ａが図の左方へ移動して解放可能となる。図４のように手動で面格子２３を開けて避難することができる。このように面格子２３は自動的に係止が解錠されてアラーム・フラッシュ灯１３を作動してアラーム音を鳴らし、フラッシュライトを発光する。
【００３０】
以上は面格子２３を例とした使用方法であるが、面格子２３以外で常時出入口としてあるいは換気などで開閉する玄関や窓の引違い戸を、平常の使用時に可動ラッチ１６と固定ラッチ１７の係止を解錠する場合には、サイレントキー５をサイレントスイッチ２０に差し込むことにより、アラーム・フラッシュ灯１３の作動を停止でき、係止を解錠してもアラーム音は鳴ることがなく、フラッシュライトも発光することはない。しかし、この場合でも、火事などの緊急時にはプルスイッチ２を引くことにより係止を解錠でき、アラーム音を鳴らし、フラッシュライトを発光させることができる。一方、サイレントキー５をサイレントスイッチ２０に差し込まない場合には、引き戸や面格子２３などの開閉仕切を開けると、アラーム音が鳴り、フラッシュライトが発光し、引き戸や面格子２３が開けられたことが判明する。
【００３１】
次に、図２を参照して火災感知器１と連動しない請求項２の発明に係る電子ロックタイプの開閉仕切具機構２９として面格子２３によりその使用方法を説明する。このタイプでは、緊急時には、プルスイッチ２を引くことにより係止は解錠され、同時にアラーム・フラッシュ灯１３からアラーム音が鳴り、フラッシュライトが発光する。平常時の面格子２３を開けるために解錠する必要のある場合には、サイレントキー５をサイレントスイッチ２０に差し込むことでアラーム・フラッシュ灯１３が作動しなくでき、この結果、ラッチの係止を外して解錠してもアラーム音はならず、フラッシュライトも発光しない。したがって、この状態でプルスイッチ２を引くことによりラッチの係止の解錠及び電源２１の電池の残量を確認するために使用することもできる。一方、サイレントキー５をサイレントスイッチ２０に差し込まない場合には、面格子２３を開けることでアラーム・フラッシュ灯１３が作動しでアラーム音を鳴らし、フラッシュライトを発光する。その結果、面格子２３が開けられたことが外部から判明できる。
【００３２】
ここで、本発明の開閉仕切り機構についてその機能をまとめると、ａ．火災報知として、室内などで火事が発生したときに、熱検知タイプ又は煙検知タイプの火災感知器１が室内の熱又は煙を検知すると自動的に配線３を介して制御装置１１に信号が送信され、制御装置１１の指示でソレノイド１２が作動し、可動ラッチ１６を上部に吸引することにより、固定ラッチ１７は係止が解放されて解錠される。解錠と同時に制御装置１１からアラーム・フラッシュ灯１３を作動させ、火災を外部に知らせる。
【００３３】
ｂ．救難要請として、緊急事態発生時にプルスイッチ２を引くと自動的に配線３を介して制御装置１１に信号が送信され、制御装置１１の指示でソレノイド１２が作動して可動ラッチ１６を上部に吸引することにより、固定ラッチ１７は係止が解放されて解錠される。解錠と同時に制御装置１１からアラーム・フラッシュ灯１３を作動させ、火災を外部に知らせる。プルスイッチ２はこれを引くことで、上記のように解錠する作用を有するが、この他に電池の残量を確認することができる。
【００３４】
ｃ．防犯機能として、仮に外部から格子７などの端部可動枠を開けると下部近接スイッチ１５の固定側スイッチ１５ａから移動側スイッチ１５ｂが離れ、アラーム・フラッシュ灯１３が作動し、侵入者のあることを知らせることができる。
【００３５】
ｄ．平常時の開閉として、サイレントキー５をサイレントスイッチ２０に差し込んだ状態でプルスイッチ２を引くことにより、配線３から制御装置１１に信号が送信されるが、制御装置１１からはアラーム・フラッシュ灯１３に信号が送信されないのでアラーム・フラッシュ灯１３歯作動することなく、ソレノイド１２のみに信号を送信するので、可動ラッチ１６を上方に吸引することとなり、固定ラッチ１７は解錠され貨幣仕切具は開けられる。
【００３６】
ｅ．リセットについて、格子７などの端部可動枠７ａを開ける動作や閉める動作を行うと、上部近接スイッチ１４の固定側スイッチ１４ａから移動側スイッチ１４ｂが離れることにより制御装置１１はリセットされる。
【００３７】
ｆ．その他、１台の火災感知器１から複数の面格子２３の制御装置１１に送信でき、又、１台の面格子の制御装置１１から複数の火災感知器１に送信できる。火災感知器１は熱検知方式や煙検知方式に接続できる。
【図面の簡単な説明】
【００３８】
【図１】火災感知器連動タイプの緊急時解錠装置を有する面格子と固定枠の外観を示す斜視図である。
【図２】電子ロックタイプの緊急時解錠装置を有する面格子と固定枠の外観を示す斜視図である。
【図３】面格子の端部可動枠と固定枠間の施錠時の内部機構を示す立面図である。
【図４】面格子と端部可動枠と固定枠間の解錠時の内部機構を示す立面図である。
【図５】掃出し用引違い戸の設置例を示す立面図である。
【図６】窓用引違い戸の設置例を示す立面図である。
【図７】玄関ドアの設置例を示す立面図である。
【図８】玄関用引違い戸の設置例を示す立面図である。
【符号の説明】
【００３９】
１  火災感知器
２  プルスイッチ
３  配線
４  固定枠
５  サイレントキー
６  電池ケース蓋
７  格子
７ａ  端部可動枠
８  横桟
９  開口部
１０  スイッチボックス
１１  制御装置
１２  ソレノイド
１３  アラーム・フラッシュ灯
１４  上部近接スイッチ
１４ａ  固定側スイッチ
１４ｂ  移動側スイッチ
１５  下部近接スイッチ
１５ａ  固定側スイッチ
１５ｂ  移動側スイッチ
１６  可動ラッチ
１６ａ  回転軸
１７  固定ラッチ
１８  連動板
１９  コイル発条
２０  サイレントスイッチ
２１  電池
２２  配線コネクター
２３  面格子
２４  掃出し用引違い戸
２５  窓用引違い戸
２６  玄関用引違い戸
２７  玄関用ドア
２７ａ  ノブ
２８  解錠装置
２９  開閉仕切具機構
【図１】
2006241863.tif 000003
【図２】
2006241863.tif 000004
【図３】
2006241863.tif 000005
【図４】
2006241863.tif 000006
【図５】
2006241863.tif 000007
【図６】
2006241863.tif 000008
【図７】
2006241863.tif 000009
【図８】
2006241863.tif 000010